(57)【要約】【課題】判定部をエンボスホログラムで形成する際に、製造時間の短縮が困難である点、エンボス型の製造時の工程数が多く、判定部のパターンの変更が困難な点を解消可能な真偽判定用媒体を提供することである。【解決手段】加熱により光の透過率もしくは反射率が変化する素材で構成した薄膜層２、必要に応じて介在する配向膜４、色変化層３、例えばコレステリック液晶層からなる光選択反射性層を、基材１２上に積層し、サーマルヘッド等により薄膜層２に記録を行ない、記録した部分の光選択反射性層３の色相変化や円偏光板を介したときの反射の有無や色相を観察することにより、課題を解決することができた。【選択図】        図３
2006058356.tif 000002
【特許請求の範囲】
【請求項１】
加熱により光の透過率もしくは反射率が変化する薄膜層、および見る角度により異なる色を与える色変化層の少なくとも二つの層が積層していることを特徴とする真偽判定用媒体。
【請求項２】
前記色変化層が、入射光のうち左円偏光もしくは右円偏光のいずれか一方を反射する光選択反射性層であることを特徴とする請求項１記載の真偽判定用媒体。
【請求項３】
前記光選択反射性層がコレステリック液晶層からなることを特徴とする請求項２記載の真偽判定用媒体。
【請求項４】
前記色変化層が二層以上からなることを特徴とする請求項１〜請求項３いずれか記載の真偽判定用媒体。
【請求項５】
前記色変化層が二層からなり、前記二層の間に位相差層が介在することを特徴とする請求項１〜請求項３いずれか記載の真偽判定用媒体。
【請求項６】
請求項１〜請求項５いずれか記載の真偽判定用媒体を、基材の一部に可視可能に有することを特徴とする真偽判定可能な基材。
【請求項７】
請求項１〜請求項５いずれか記載の真偽判定用媒体にさらに接着剤層が積層されていることを特徴とする真偽判定用媒体ラベル。
【請求項８】
請求項１〜請求項５いずれか記載の真偽判定用媒体が剥離性基材の剥離性面に積層されていることを特徴とする真偽判定用媒体転写シート。
【発明の詳細な説明】
【技術分野】
【０００１】
本発明は、不正な意図に基づく偽造や改ざん等により得られたものとの区別を可能にした真偽判定用媒体に関する。また、本発明は、真偽判定用媒体を適用した真偽判定可能な基材にも関する。さらに本発明は、そのような真偽判定用媒体を物品に適用するのに適するラベルの形態や転写シートの形態に加工したものにも関する。
【背景技術】
【０００２】
例えば、クレジットカード、預貯金用カード、各種金券、もしくは身分証明書等は、偽造されたり改ざんされて不正に使用されるといろいろな支障を招くので、偽造や改ざんによる損害を防止するために、そのものの真正性を識別できる機能を自身が有することが望まれる。また、例えば、腕時計、皮革製品、貴金属製品もしくは宝飾品等の高級品、とりわけ、高級ブランド品と言われるもの、オーディオ製品、電化製品、または媒体に記録された音楽ソフト、映像ソフト、ゲームソフト、もしくはコンピュータソフトも、やはり偽造の対象となるので、同様に、真正性を識別できる機能を有することが望まれる。
【０００３】
従来、上記の物品も含めた種々の物品の真正性の識別を可能にする目的で、ホログラムが多用されている。ホログラムは、その構造の精密さから、製造上の困難性を有するからである。しかし、ホログラムの製造方法は専門家には知られており、また、精密なものであるだけに、真正なホログラムと偽造されたホログラムとの区別はなかなかに困難である。
【０００４】
そこで、ホログラムに代るものとして、基材と、基材の一方の面に形成され、入射した光のうち、左回り偏光又は右回り偏光のいずれか一方の光のみを反射する光選択反射層と光選択反射層の少なくとも一部に形成され、新製品を判定する判定情報を備える判定部とを有する真偽判定体が提案された（例えば、特許文献１参照。）。
【特許文献１】特開２０００−２５３７３号公報（第３〜５頁、図１）。
【０００５】
特許文献１記載の真偽判定体においては、判定部は依然としてエンボスホログラムで形成されており、判定部として精密なパターンの形成が可能であるものの、エンボス型に刻まれたホログラムの凹凸を充分に再現する意味で、エンボス型とエンボスされる材料との接触時間を充分に長くする必要があり、製造時間の短縮が困難である上、エンボス型自体の製造プロセスも工程数が多いため、判定部のパターンの変更が困難となる不利も有している。
【発明の開示】
【発明が解決しようとする課題】
【０００６】
本発明の課題は、判定部の形成をエンボスホログラムで形成する際に、製造時間の短縮が困難である点、エンボス型の製造時の工程数が多く、判定部のパターンの変更が困難な点を解消可能な真偽判定用媒体を提供することである。
【課題を解決するための手段】
【０００７】
上記の本発明の課題は、加熱により溶融もしくは蒸発してパターンを形成し得る金属の薄膜等と、コレステリック液晶層のような、入射光のうち左円偏光もしくは右円偏光のいずれか一方を反射する光選択反射性層もしくはその他の色変化層を積層したものにより、解決し得ることが判明し、これに基づいて本発明に到達することができた。
【０００８】
第１の発明は、加熱により光の透過率もしくは反射率が変化する薄膜層、および見る角度により異なる色を与える色変化層の少なくとも二つの層が積層していることを特徴とする真偽判定用媒体に関するものである。
【０００９】
第２の発明は、第１の発明において、前記色変化層が、入射光のうち左円偏光もしくは右円偏光のいずれか一方を反射する光選択反射性層であることを特徴とする真偽判定用媒体に関するものである。
【００１０】
第３の発明は、第２の発明において、前記光選択反射性層がコレステリック液晶層からなることを特徴とする真偽判定用媒体に関するものである。
【００１１】
第４の発明は、第１〜第３いずれかの発明において、前記色変化層が二層以上からなることを特徴とする真偽判定用媒体に関するものである。
【００１２】
第５の発明は、第１〜第３いずれかの発明において、前記色変化層が二層からなり、前記二層の間に位相差層が介在することを特徴とする真偽判定用媒体に関するものである。
【００１３】
第６の発明は、第１〜第５いずれかの発明の真偽判定用媒体を、基材の一部に可視可能に有することを特徴とする真偽判定可能な基材に関するものである。
【００１４】
第７の発明は、第１〜第５いずれかの発明の真偽判定用媒体にさらに接着剤層が積層されていることを特徴とする真偽判定用媒体ラベルに関するものである。
【００１５】
第８の発明は、第１〜第５いずれかの発明の真偽判定用媒体が剥離性基材の剥離性面に積層されていることを特徴とする真偽判定用媒体転写シートに関するものである。
【発明の効果】
【００１６】
第１の発明によれば、薄膜層に光の透過率の差もしくは反射率の差に基づくパターンを形成した箇所において、色変化層の存在に基づき、見る角度によって色相が異なって見えることを確認することにより、真偽判定を行うことが可能な真偽判定用媒体を提供することができる。
【００１７】
第２の発明によれば、第１の発明の効果に加えて、薄膜層に光の透過率の差もしくは反射率の差に基づくパターンを形成した箇所において、光選択反射性層の存在に基づき、見る角度によって色相が異なって見えること、および左円偏光板もしくは右円偏光板のいずれかを介して観察し、反射光の有無や反射光の色相を確認することにより、真偽判定を行うことが可能な真偽判定用媒体を提供することができる。
【００１８】
第３の発明によれば、第２の発明の効果に加えて、光選択反射層としてコレステリック液晶層を用いることにより、見る角度によって色相が異なって見えること、および左円偏光板もしくは右円偏光板のいずれかを介して観察し、反射光の有無を確認することにより、真偽判定を行うことをより確実に実行可能な真偽判定用媒体を提供することができる。
【００１９】
第４の発明によれば、第１〜第３いずれかの発明の効果に加えて、色変化層を二層以上とすることにより、見る角度によってより複雑な色相の変化をもたらすことが可能な真偽判定用媒体を提供することができる。
【００２０】
第５の発明によれば、第１〜第３いずれかの発明の効果に加えて、色変化層が二層と、これら二層の間に介在する位相差層とを有するものであるため、より複雑な反射をもたらすので、真偽判定をより一層確実に行うことが可能な真偽判定用媒体を提供することができる。
【００２１】
第６の発明によれば、第１〜第５いずれかの発明の真偽判定用媒体が適用されているので、付加される情報の真偽判定を可能とする、真偽判定可能な基材を提供することができる。
【００２２】
第７の発明によれば、第１〜第５いずれかの発明の効果を発揮し得る真偽判定用媒体に接着剤層を積層したことにより、容易に物品に適用可能な真偽判定用媒体ラベルを提供することができる。
【００２３】
第８の発明によれば、第１〜第５いずれかの発明の効果を発揮し得る真偽判定用媒体を剥離性基材に積層したことにより、容易に物品に適用可能な真偽判定用転写シートを提供することができる。
【発明を実施するための最良の形態】
【００２４】
図１および図２は本発明の真偽判定用媒体の積層構造を例示する図である。図３および図４は本発明の真偽判定用媒体が適用された例を示す図である。図５は本発明の真偽判定用媒体を適用した製品による真偽判定の様子を示す図である。図６は本発明の真偽判定用媒体を対象物に適用するのに適したラベルの形態を示す図である。図７は本発明の真偽判定用媒体を対象物に適用するのに適した転写シートの形態を示す図である。
【００２５】
図１（ａ）に示すように、本発明の真偽判定用媒体１は、最も基本的には、見る角度により異なる色を与える色変化層３上に、加熱により光の透過率もしくは反射率が変化する薄膜層２が積層された積層構造からなるものである。図面の上側を観察側とすれば、真偽判定用媒体１は、図１（ｂ）に示すように、薄膜層３上に色変化層３が積層された積層構造からなるものであってもよい。
【００２６】
色変化層３は、種々の素材を用いて構成することができ、例えば、見る角度によって色が変化する顔料を用いる、蒸着薄膜を用いる、もしくは二色性色素を用いることにより構成することができる。見る角度によって色が変化する顔料としては、高屈折率の酸化ケイ素、酸化チタン、酸化鉄などの層と、低屈折率のマイカ等の層を積層したパール顔料を例示することができ、具体的には、（株）資生堂製の商品名；インフィニットカラーや、メルク社（独国）製の商品名；イリオジン等が入手可能である。蒸着薄膜はアルミニウム等の金属やそのほかの素材を気相法により薄膜として形成したもので、ごく薄いものは透明性を有し、あたかも水面に浮かんだ油の薄膜のように、見る角度によって色が変化する、いわゆる干渉色を示すものである。二色性色素は、分子軸の方向によって光の吸収性を相違する長鎖色素分子からなり、例えば、色素分子の分子軸の方向に対して法線方向の光成分は吸収性がほぼなく光を透過するのに対して、分子軸の方向に対して平行方向の光成分は吸収性を有し、光を透過しない性質を有するもので、アントラキノン系、アゾ系、もしくはビスアゾ系の色素を例示することができる。上記のうち、見る角度によって色が変化する顔料もしくは二色性色素は適宜なバインダ樹脂中に分散し、溶剤で希釈して塗布用組成物としたものをシルクスクリーン印刷、グラビア印刷、もしくは公知のコーティング法によって対象表面に適用すればよい。
【００２７】
真偽判定用媒体１を構成する色変化層３は、入射光のうち左円偏光もしくは右円偏光のいずれか一方を反射する光選択反射性層であってもよく、その場合、真偽判定用媒体１は、図１（ｃ）に例示するように、薄膜層２との間に配向膜４が介在した積層構造からなるものであってもよく、図示はしないが、下側から光選択反射性層３、配向膜４、および薄膜層２が順に積層された積層構造からなるものであってもよい。
【００２８】
真偽判定用媒体１は、薄膜層２と色変化層３とが１層ずつ積層された積層構造にとどまらず、色変化層３が二層からなるものであってもよい。図１（ｄ）に示すように、図の下面側から二層の色変化層３Ｂ、３Ａ、および薄膜層２が順に積層された積層構造からなるものであってもよいし、図１（ｅ）に示すように、図の下面側から薄膜層２、二層の色変化層３Ａ、および３Ｂが順に積層された積層構造からなるものであってもよい。
【００２９】
真偽判定用媒体１は、図２（ａ）中に示すように、下側から色変化層、例えば光選択反射性層３Ｂ、位相差層５、および色変化層、例えば３Ａが順に積層した積層構造を有していてもよい。光選択反射性層３Ｂおよび３Ａは、コレステリック液晶層からなるものであることが好ましく、互いに同じ方向の円偏光を反射するものどうしであることがより好ましい。図２（ａ）に示す例では、光選択反射性層Ａ（符号３Ａ）側に、さらに薄膜層２が積層されて真偽判定用媒体１が構成されているが、もとろん、光選択反射性層Ｂ（符号３Ｂ）側に、さらに薄膜層２が積層されて真偽判定用媒体１が構成されていてもよい。
【００３０】
ここで、位相差層５は、入射した光を複屈折して、偏光方向によって異なる位相を生じさせ、位相差を付与する層である。複屈折は、媒質の屈折率が、偏光方向によって均質でないため生じる現象であり、このような媒質を透過した光の位相差σは、σ＝２π（ｎｅ−ｎｏ）ｄ／λで、与えられることが知られている。ここで、ｎｅは異常光線屈折率、ｎｏは常光線屈折率、ｄは媒質の厚さ、λは光の波長である。すなわち、ある一定の厚さｄの媒質に対して、位相差σは、光の波長λに依存する。位相差層５に、波長λ＝２（ｎｅ−ｎｏ）ｄなる右円偏光を入射すると、その右円偏光を透過しながら、位相差σ＝π（すなわち、１／２波長）を与える。そのため、入射した右円偏光は、左円偏光に変換されて出射し、また、入射した左円偏光は右円偏光に変換されて出射する。このような位相差層５は、透明基材フィルムをプラスチックの延伸フィルムで構成するほか、後述するようにネマチック液晶層、もしくはネマチック液晶層と透明基材フィルムで構成することができる。
【００３１】
２層の色変化層ＢおよびＡ（符号３Ｂおよび３Ａ）が位相差層５を介して積層された積層構造からなる色変化層３は、色変化層３Ｂおよび３Ａが十分薄いときは、全体として透明であるので、この積層体を介して反対側にあるものを透視することができる。
【００３２】
仮に２層の色変化層が光選択反性射層ＢおよびＡ（符号３Ｂおよび３Ａ）からなり、いずれも右円偏光を反射するものであるとする。図２（ｂ）に示すように、上記の基本的な要素に対して自然光を光選択反射性層Ａ（符号３Ａ）側から入射すると、自然光は、右円偏光および左円偏光を含んでいるので、光選択反射性層Ａ（符号３Ａ）の作用により、右円偏光のみが選択的に反射され、この反射光（右円偏光）を右円偏光板を介して観察することができる。
【００３３】
また、光選択反射性層Ａ（符号３Ａ）側から入射した自然光のうちの左円偏光は、光選択反射性層Ａ（符号３Ａ）を透過する。透過した左円偏光は、位相差層５を経て右円偏光に変換される（図中の「左→右」は、左円偏光から右円偏光への変換を示す。）。変換された右円偏光は光選択反射性層Ｂ（符号３Ｂ）で反射される。この反射光（右円偏光）は、再び位相差層２を透過して左円偏光に変換される（図中の「右→左」は、右円偏光から左円偏光への変換を示す。）。変換された左円偏光は、光選択反射性層Ａ（符号３Ａ）を経て出射し、この出射光（左円偏光）を左円偏光板を介して観察することができる。このとき、２層の光選択反射性層ＡおよびＢ（符号３Ａおよび３Ｂ）を、各々の反射光の中心波長が相違するものどうしとすることにより、右円偏光板を用いて観察したときと、左円偏光板を用いて観測したときとでは光の色が異なるから、二重の確認が可能であり、真偽をより確実に判定できる。
【００３４】
本発明の真偽判定用媒体１は、適宜な基材と積層して、真偽判定可能な基材として使用することが好ましい。
【００３５】
図３（ａ）に示すように、適宜な基材１２上に、基材１２側より色変化層、例えば光選択反射性層３および薄膜層２が順に積層したもの、図３（ｂ）に示すように、適宜な基材１２上に、基材１２側より薄膜層２および色変化層、例えば光選択反射性層３が順に積層したもの、もしくは図３（ｃ）に示すように、適宜な基材１２上に、基材１２側より薄膜層２、配向膜４、および色変化層、例えば光選択反射性層３が順に積層したもの等のいずれもが、真偽判定可能な基材１１である。これらの真偽判定可能な基材１１は、図１（ａ）〜図１（ｃ）を引用して説明した真偽判定用媒体１を基材１２上に積層したものである。なお、図示はしないが、適宜な基材１２上に、基材１２側より色変化層、例えば光選択反射性層３、配向膜４、および薄膜層２が順に積層したものも真偽判定可能な基材１１である。上記の他、図１（ｄ）、および図１（ｅ）を引用して説明した真偽判定用媒体１を基材１２上に積層したもの等もまた、真偽判定可能な基材１１である。
【００３６】
図４（ａ）に示す例の真偽判定可能な基材１１は、図２（ａ）を引用して説明した真偽判定用媒体１を適宜な基材１２上に積層した積層構造を有するもので、基材１２上に基材１２側より色変化層、例えば光選択反射性層３および薄膜層２が順に積層されており、光選択反射性層３は、基材１２側より、光選択反射性層Ｂ（符号３Ｂ）、位相差層５、および光選択反射性層Ａ（符号３Ａ）が順に積層した積層構造からなるものである。図示はしないが、基材１２上に基材１２側より、薄膜層２、光選択反射性層Ａ（符号３Ａ）、位相差層５、および光選択反射性層Ｂ（符号３Ｂ）が順に積層したものも、本発明の真偽判定可能な基材１１である。
【００３７】
図４（ｂ）に示すように、真偽判定可能な基材１１は、基材１２上に基材１２側より色変化層、例えば光選択反射性層Ｂ（符号３Ｂ）、パターン状の色変化層、例えば光選択反射性層Ａ（符号３Ａ）、および薄膜層２が順に積層した積層構造からなるものであってもよい。基材１２上に、図１（ｄ）を引用して説明した真偽判定用媒体１が積層したもののバリエーションでもある。このように色変化層３が二層以上からなるときは、少なくとも１層はパターン状であってもよい。なお、図示はしないが、真偽判定可能な基材１１は基材１２側より、薄膜層２、パターン状の色変化層、例えば光選択反射性層Ａ（符号３Ａ）、および光選択反射性層Ｂ（符号３Ｂ）が順に積層した積層構造からなるものであってもよい。なお、いずれの場合にも、パターン状の光選択反射性層Ａ（符号３Ａ）、および光選択反射性層Ｂ（符号３Ｂ）は積層順序が入れ替わってもよい。
【００３８】
本発明の真偽判定用媒体１における薄膜層２としては、加熱により光の透過率もしくは反射率が変化するものであることが好ましく、このための素材としては、加熱により溶融もしくは蒸発、又は相変化を起こして、加熱部と非加熱部とにおいて、光の透過率もしくは反射率の相違に基づくパターンを生じ得るものであれば、どのようなものでもよいが、例えば、Ｔｅ、Ｓｎ、Ｉｎ、Ａｌ、Ｂｉ、Ｐｂ、もしくはＺｎ等の比較的低融点の金属、これら金属の合金、もしくはこれら金属の化合物、例えば、Ｔｅ−カーバイド等を挙げることができる。薄膜層２の形成方法は、素材にもよるが、真空蒸着法、スパッタ法、もしくはめっき法等によって行うことができる。また薄膜層２の厚みとしては、１０μｍ〜１０００μｍ程度である。
【００３９】
本発明の真偽判定用媒体１における光選択反射性層３は、入射光のうち左円偏光もしくは右円偏光のいずれか一方を反射する光選択反射性を有する素材からなる層であり、例えばコレステリック液晶層からなるものである。光選択反射性層３は、コレステリック液晶の溶剤溶液を各種の印刷法によって適用し、乾燥させることにより形成することができ、あるいは、このとき、重合性のコレステリック液晶を用いて紫外線重合性組成物を調製し、得られた紫外線重合性組成物を各種の印刷法によって適用し、乾燥後に、紫外線を照射して重合させて形成することもできる。
【００４０】
光選択反射性層３を二層以上形成する際には、各層の反射光の中心波長が相違したものとすることが好ましく、このためには、各層の厚みが異なるよう構成するか、もしくは各層を構成する素材として螺旋ピッチが異なるものを用いて構成することが好ましい。上記のように重合性のコレステリック液晶を用いて紫外線重合性組成物を調製して用い、光選択反射層を形成する場合には、重合性のネマチック液晶とカイラル剤を組み合わせて用い、このとき、重合性のネマチック液晶とカイラル剤との配合比を異ならせた紫外線重合性組成物を調製して用いることにより、互いに螺旋ピッチの異なるコレステリック液晶層を形成することができる。
【００４１】
重合性のコレステリック液晶材料としては、下記の一般式（１）で表される化合物や、式（２）〜式（１０）で示す化合物を例示することができる。これら例示したものはモノマーであるが、オリゴマーやポリマーであってもよい。一般式（１）で表される化合物を２種類以上併用することや、一般式（１）で表される化合物および式（２）〜式（１０）で示す化合物の中から選択して２種類以上併用してもよい。
【化１】
2006058356.tif 000003
【化２】
2006058356.tif 000004
【化３】
2006058356.tif 000005
【化４】
2006058356.tif 000006
【化５】
2006058356.tif 000007
【化６】
2006058356.tif 000008
【化７】
2006058356.tif 000009
【化８】
2006058356.tif 000010
【化９】
2006058356.tif 000011
【化１０】
2006058356.tif 000012
【００４２】
上記の一般式（１）において、Ｒ1およびＲ2は、それぞれ水素もしくはメチル基を示し、Ｘは塩素もしくはメチル基であることが好ましい。また一般式（１）で表される化合物のスペーサーであるアルキレン基の鎖長を示すａおよびｂは、２〜９の範囲であることが液晶性を発現させる上で好ましい。
【００４３】
上記の液晶性化合物には、下記式（１１）〜式（１３）で表されるカイラル剤を配合してもよい。
【化１１】
2006058356.tif 000013
【化１２】
2006058356.tif 000014
【化１３】
2006058356.tif 000015
【００４４】
上記の式（１１）において、Ｒ3は、水素もしくはメチル基を示す。上記式（１１）および式（１２）において、Ｙは、下記式（１４）および（１５）で示す式（ｉ）〜式（ｘｘｉｖ）のうちのいずれかである。また、上記式（１１）〜式（１３）において、アルキレン基の鎖長を示すｃ、ｄおよびｅは、２〜９の範囲であることが液晶性を発現させる上で好ましい。
【化１４】
2006058356.tif 000016
【化１５】
2006058356.tif 000017
【００４５】
上記のコレステリック液晶材料およびカイラル剤は、必要に応じて紫外線重合開始剤、さらに溶剤や希釈剤と共に、一例として、コレステリック液晶材料：カイラル剤：紫外線重合開始剤＝１００：５：５（質量基準）の配合比で混合し、混合して得られた粉体をトルエン等の溶剤を用いて溶解し、３０質量％程度の濃度の塗布用溶液を調製するとよい。なお、配合比は、使用するコレステリック液晶材料、カイラル剤、もしくは紫外線重合開始剤等の種類、塗布方式もしくは塗布機、または得たい塗布量によって適宜に定めることができる。
【００４６】
光選択反射性層３が積層され得る配向膜４は、ポリビニルアルコール樹脂（ＰＶＡ）、ポリイミド樹脂等の一般に配向膜として使用し得るものであれば、いずれのもので構成してもよい。配向膜４は、これらの樹脂の溶剤溶液を、通常は、フィルム上もしくは適宜な層上に適宜な塗布法により塗布し、乾燥させた後に、布、ブラシ等を用いて摩擦するラビングを行なって形成する。なお、フィルム等が延伸したプラスチックシートで構成されているときは、もともと表面が配向性を有しているので、配向膜４の積層を省いてもよい。
【００４７】
位相差層５は、例えば、ネマチック液晶を用いて構成することができ、ネマチック液晶を含むインキ組成物、好ましくはネマチック液晶の溶剤溶液からなるインキ組成物を用いた各種印刷法により形成することができ、単独で用いるほか、自身が配向性を有する透明フィルムの表面に積層形成するか、もしくはフィルムの表面に配向膜を介して積層形成する。なお、延伸されたプラスチックフィルム自体も位相差層５となり得るし、そのようなプラスチックフィルムに位相差層を積層したもの、もしくはプラスチックフィルムに配向膜６を介して位相差層を積層したもの等も、全体として位相差層５として機能し得る。
【００４８】
本発明の真偽判定用媒体１が積層される対象としての基材１２は、紙、プラスチック、もしくは金属箔等、又はこれらの複合体等を素材とすることができる。基材１２は、ごく実際的には、偽造されたり改ざんされることにより種々の支障を招くことがあり得るクレジットカードもしくは預貯金用カード等のいわゆるカード類、各種の金券、交通機関の定期券、もしくは身分証明書等の形態に加工されたものであってもよい。上記の素材には、印刷、ラミネート、もしくはエンボス等の加工が行われていたり、磁気記録層の積層もしくはＩＣチップの埋設等が行われていることがある。ほとんどの場合、基材１２には、印刷が施され、磁気記録層の積層が行われていることが多い。
【００４９】
本発明の真偽判定用媒体１に対する記録は、加熱により光の透過率もしくは反射率が変化する薄膜層２に対し、サーマルヘッドやレーザー光等の、好ましくは入力情報に応じて点状（＝ドット状）に加熱が可能な手段を用いて、必要な文字もしくはパターン等を形成することにより行われる。図５（ａ）は、真偽判定用媒体１が基材の表面の全面に積層されて施された、真偽判定可能な基材１１に対して記録部１３を形成した状態を示し、図示の例では、記録部１３として英文字「ＤＤ」が形成されている。真偽判定可能な基材１１は、図３もしくは図４を引用して説明したもので、仮に、図３（ａ）を引用して説明した積層構造のものを想定するが、もちろん、これ以外の積層構造のものであってもよい。図３（ａ）を引用して説明した積層構造のものの場合、薄膜層２が英文字「ＤＤ」を構成する幅の狭い帯状に揮散して除去されたとすると、除去部分から下層の光選択反射性層３が見え、光選択反射性層３がコレステリック液晶層からなるときは、見る角度によって色相が異なって見える。従って、英文字「ＤＤ」は、見る角度によって異なる色相を有している。
本発明の真偽判定用媒体１には、インクジェットプリンターもしくは熱転写プリンター等を用いた非感熱記録手法によって記録を施すこともでき、このような非感熱記録手法によって施された記録は、加熱により光の透過率もしくは反射率が変化する薄膜層または／および見る角度により異なる色を与える色変化層を背景とすることにより、偽造防止性を有するものとなる。また、上記の非感熱記録手法による記録に加えて、サーマルヘッドやレーザー光等を用いた感熱記録手法による記録を併用することにより、より高度な防止性を真偽判定用媒体１に与えることができる。
【００５０】
図５（ａ）の状態の真偽判定可能な基材１１の上に、図５（ｂ）に示すように左円偏光板１４Ｌを重ねると、仮に光選択反射性層３が、入射光のうち左円偏光を反射するものである場合、反射光が観測され、また、光選択反射性層３の厚みやらせんピッチに基づいて、反射光が着色されて見える。この場合、図５（ｃ）に示すように右円偏光板１４Ｒを重ねると、反射光が観測されない。
【００５１】
図５（ａ）に示す真偽判定可能な基材１１が、図４（ａ）を引用して説明したものであり、光選択性反射性層Ａ（符号３Ａ）および光選択性反射性層Ｂ（符号３Ｂ）が右円偏光を反射するものである場合には、図５（ｂ）に示すように左円偏光板１４Ｌを重ねると、下層側の光選択反射性層Ｂ（符号３Ｂ）で反射した反射光が見え、図５（ｃ）に示すように右円偏光板１４Ｒを重ねると、上層側の光選択反射性層Ａ（符号３Ａ）で反射した反射光が見え、いずれの場合にも、光選択反射性層Ａ（符号３Ａ）もしくはＢ（符号３Ｂ）の厚みやらせんピッチに基づいて、反射光が着色されて見える。この場合には既に述べたように、左円偏光板１４Ｌを用いて観察したときと、右円偏光板１４Ｒを用いて観測したときの光の色が異なるため、二重の確認が可能であり、真偽をより確実に判定できる。
【００５２】
以上の例では、本発明の真偽判定用媒体１を基材１２の表面、それも観察側に積層した場合を念頭に説明したが、基材１２が透明であれば、基材１２の非観察側に真偽判定用媒体１を積層することもできる。また、本発明の真偽判定用媒体１を一例として０．５ｍｍ〜５ｍｍ程度のごく狭い幅の図中縦長のスレッド状に裁断したものを、基材１２の凹部に積層したり、紙等の基材内部に透視可能に埋め込む等して用いることができる。例えば、金券類の用紙を基材１２とし、スレッド状の真偽判定用媒体１を適用しておけば、見た目には目立たないか、あるいは単なる装飾のように見えるが、上記と同様にして用紙の真偽判定を可能にすることができる。
【００５３】
図１および図２を引用して説明した本発明の真偽判定用媒体１は、図６もしくは図７を引用して次に説明するように、ラベルや転写シートの形態に加工することにより、真偽判定用媒体１を適用すべき種々の物品に対する適用を容易とすることができる。
【００５４】
図６は、ラベルの形態に関するもので、図示の例では、基材フィルム２２の図中の上面側に、基材フィルム２２側より、色変化層、例えば光選択反射性層Ｂ（符号３Ｂ）、位相差層５、色変化層、例えば光選択反射性層Ａ（符号３Ａ）、薄膜層２、および保護層２４が順に積層され、基材フィルム２の下面側に、接着剤層２３が積層されて真偽判定用媒体ラベル２１が構成されている。必要に応じて、接着剤層２３の露出面には離型性シートが積層される。図６に示す例は、図２（ａ）を引用して説明した例の真偽判定用媒体１が基材２２上に積層され、最上層に保護層２４が積層され、基材２２の下面側に接着剤層２３が積層されたものであるが、真偽判定用媒体１としては、図２（ａ）を引用して説明した例以外のものが積層されていてもよい。また、保護層２４は省くこともできる。なお、基材フィルム２２の下面側に真偽判定用媒体１を積層し、さらに下面側に接着剤層２３が積層されていてもよいし、また、このように、基材フィルム２２の下面側に真偽判定用媒体１、および接着剤層２３を積層した場合、保護層２４を基材フィルム２２の上面側に積層してもよい。
【００５５】
図７は、転写シートの形態に関するもので、図示の例では、基材フィルム２２の下面側に、基材フィルム２２側より、保護層２４、薄膜層２、色変化層、例えば光選択反射性層３、および接着剤層２３が順に積層され、基材フィルム２２と保護層２４との間で剥離可能に積層されて構成されたもので、光選択反射性層３は薄膜層２側より光選択反射性層Ａ（符号３Ａ）、位相差層５、および光選択反射性層Ｂ（符号３Ｂ）が順に積層された積層構造を有して真偽判定用媒体転写シート３１が構成されている。この真偽判定用媒体転写シート３１の例において、図２（ａ）を引用して説明した例の真偽判定用媒体１が積層されているが、真偽判定用媒体１としては、図２（ａ）を引用して説明した例以外のものが積層されていてもよい。また、保護層２４は省くこともできる。なお、最下層の接着剤層２３は、被転写体表面に接着剤が適用される場合には、省くこともできる。
【００５６】
上記のような真偽判定用媒体ラベル２１の形態のもの、もしくは真偽判定用媒体転写シート３１の形態において、真偽判定用媒体１の種々の積層構造に替えて、真偽判定可能な基材１１を用いてもよい。この場合、真偽判定可能な基材１１自体は基材１２を伴っているので、真偽判定用媒体ラベル２１および真偽判定用媒体転写シート３１は、基材フィルム２２と基材１２の両方を有するものとなる。
【００５７】
本発明の真偽判定用媒体１もしくは真偽判定可能な基材１１は、適宜な恒久的基材もしくは一時的な仮の基材に対して各層を順次積層することによっても製造することができるが、上記のような真偽判定用媒体ラベル２１の形態のもの、もしくは真偽判定用媒体転写シート３１の形態のものを用いて製造することもできる。真偽判定用媒体ラベル２１の形態のものは、離型性シートが積層されているときは離型性シートを剥がし、接着剤層２３を被着体となる物品側に向けて貼り付けることにより適用し、また、真偽判定用媒体転写シート３１の形態のものは、接着剤層２３側を被着体となる物品側に向けて接着させた後、基材フィルム２２を剥離することにより適用する。
【００５８】
上記の真偽判定用媒体ラベル２１および真偽判定用媒体転写シート３１を構成するための基材フィルム２２としては、機械的強度や、ラベル２１および転写シート３１を製造する際の加工に耐える耐溶剤性および耐熱性を有するものが好ましい。使用目的にもよるので、限定されるものではないが、フィルム状もしくはシート状のプラスチックが好ましい。例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種のプラスチックフィルムを例示することができる。
【００５９】
また、上記の真偽判定用媒体ラベル２１および真偽判定用媒体転写シート３１を構成するための接着剤層２３としては、感熱接着剤もしくは感圧接着剤を用いることができ、いずれでもよい。
【００６０】
さらに、上記の真偽判定用媒体ラベル２１および真偽判定用媒体転写シート３１を構成するための保護層２４は、一般的なインクもしくは塗料中のバインダー樹脂として使用される熱可塑性樹脂もしくは熱硬化性樹脂のほか、紫外線硬化性樹脂もしくは電子線硬化性樹脂等の電離放射線硬化性樹脂を用いて構成することができる。
【実施例１】
【００６１】
厚みが５０μｍのＰＥＴフィルムの表面に、重合性コレステリック液晶溶液を用いてグラビア印刷を行ない、乾燥させた後、紫外線を照射することにより、厚みが２．２μｍのコレステリック液晶層を全面に形成した。ここで用いた重合性コレステリック液晶溶液は、重合性のネマチック液晶（ＢＡＳＦ（株）製、商品名；「パリオカラーＬＣ２４２」）、カイラル剤（ＢＡＳＦ（株）製、商品名；「パリオカラーＬＣ７５６」）および紫外線重合開始剤を配合したものの２０％溶液（溶剤はトルエンである。）であり、重合性のネマチック液晶／カイラル剤の配合比は９５．５／４．５であり、紫外線重合開始剤は重合性のネマチック液晶に対して５％を配合したものである。
【００６２】
形成されたコレステリック液晶層上に、グラビア印刷によりポリエステル樹脂系のアンカーコート層を形成し、アンカーコート層上にＳｎ薄膜層を厚みが２５０ｎｍになるよう蒸着によって形成し、さらにＳｎ薄膜層上にグラビア印刷によりウレタン樹脂系の保護層を形成して、感熱記録用フィルムを得た。
【００６３】
得られた感熱記録用フィルムの保護層側からサーマルヘッドを用いて印字を行なったところ、印字後の感熱記録用フィルムは、見る角度により印字部のコレステリック液晶層の色相が変化して見えるものであった。また、右円偏光板を重ねて眺めると印字部が緑色に着色して見え、左円偏光板に取り替えると、色が消えて見えた。
【実施例２】
【００６４】
実施例１で得られた感熱記録用フィルムのＰＥＴフィルムの何も形成しなかった側の面に、離型紙に粘着剤を塗布したものを重ねて、保護層、Ｓｎ薄膜層、アンカーコート層、コレステリック液晶層、ＰＥＴフィルム、粘着剤層、および離型紙が順に積層した積層構造とした後、所定の形状に打ち抜いて、ラベル状の感熱記録用フィルムを得た。
【実施例３】
【００６５】
実施例１で得られた感熱記録用フィルムの表裏両面に感熱接着剤層を積層したものを幅２ｍｍのスレッド状に加工し、紙層間に漉きこんで、スレッドを有するスレッド用紙とした。
【実施例４】
【００６６】
実施例１で得られた感熱記録用フィルムのＰＥＴフィルムの何も形成しなかった側の面に、注意書き等の文字を印刷し、プリペイドカードとした。
【実施例５】
【００６７】
厚みが１２μｍのＰＥＴフィルムの表面にＳｎ薄膜層を厚みが２５０ｎｍになるよう蒸着によって形成した。形成されたＳｎ薄膜層上に、ＰＶＡ溶液（（株）クラレ製のＰＶＡ樹脂、品番；「１１０」、５％水溶液（透明）として使用。）を塗布し乾燥させた後に、ラビング処理を行なって配向膜を形成した。この配向膜上に、実施例１において用いたのと同じ重合性コレステリック液晶溶液を用いてグラビア印刷を行ない、乾燥させた後、紫外線を照射することにより、厚みが２．２μｍのコレステリック液晶層を全面に形成して、感熱記録用フィルムを得た。
【００６８】
得られた感熱記録用フィルムのＰＥＴフィルム側からサーマルヘッドを用いて印字を行なったところ、印字後の感熱記録用フィルムは、見る角度により印字部のコレステリック液晶層の色相が変化して見えるものであった。また、右円偏光板を重ねて眺めると印字部が緑色に着色して見え、左円偏光板に取り替えると、色が消えて見えた。
【００６９】
なお、上記と同様にして、ただし、ＰＥＴフィルムとしては厚みの厚い５０μｍのものに替えて、感熱記録用フィルムを得た後、印字をコレステリック液晶層側から行なっても上記と同様の効果を得ることができた。
【実施例６】
【００７０】
厚みが５０μｍのＰＥＴフィルムの一方の表面に、実施例１において用いたのと同じ重合性コレステリック液晶溶液を用いてグラビア印刷を行ない、乾燥させた後、紫外線を照射することにより、厚みが２．２μｍのコレステリック液晶層（Ａ）を全面に形成した。続いて、上記のＰＥＴフィルムのコレステリック液晶層（Ａ）を形成しなかった側の表面に、コレステリック液晶層（Ａ）を形成したときとは異なる重合性コレステリック液晶溶液を用いて、コレステリック液晶層（Ｂ）を形成した。その後、コレステリック液晶層（Ｂ）上に、Ｓｎ薄膜層を厚みが２５０ｎｍになるよう蒸着によって形成して、感熱記録用フィルムを得た。なお、コレステリック液晶層（Ｂ）を形成するのに用いた重合性コレステリック液晶溶液は、重合性のネマチック液晶／カイラル剤の配合比が９５．５／４．５である以外、コレステリック液晶層（Ａ）を形成するのに用いた重合性コレステリック液晶溶液と同様である。
【００７１】
得られた感熱記録用フィルムにサーマルヘッドを用いて印字を行なったところ、印字後の感熱記録用フィルムは、見る角度により印字部のコレステリック液晶層の色相が変化して見えるものであった。また、右円偏光板を重ねて眺めると印字部が緑色に着色して見え、左円偏光板に取り替えると、赤色に着色して見えた。
【図面の簡単な説明】
【００７２】
【図１】本発明の真偽判定用媒体の基本的な積層構造を示す図である。
【図２】本発明の真偽判定用媒体の別の積層構造を示す図である。
【図３】本発明の真偽判定用媒体の適用例を示す図である。
【図４】本発明の真偽判定用媒体の別の適用例を示す図である。
【図５】本発明の真偽判定用媒体を用いた真偽判定の方法を示す図である。
【図６】本発明の真偽判定用媒体をラベル状としたものを示す図である。
【図７】本発明の真偽判定用媒体を転写シート状としたものを示す図である。
【符号の説明】
【００７３】
１……真偽判定用媒体
２……薄膜層
３……色変化層（光選択反射性層）
４……配向膜
５……位相差層
１１……真偽判定用媒体
１２……基材
１３……記録部
１４……円偏光板（１４Ｌ；左円偏光板、１４Ｒ；右円偏光板）
２１……真偽判定用媒体ラベル
２２……基材フィルム
２３……接着剤層
２４……保護層
３１……真偽判定用媒体転写シート
【図１】
2006058356.tif 000018
【図２】
2006058356.tif 000019
【図３】
2006058356.tif 000020
【図４】
2006058356.tif 000021
【図５】
2006058356.tif 000022
【図６】
2006058356.tif 000023
【図７】
2006058356.tif 000024